(57)【要約】【課題】印字先行プリント機能を備える画像形成装置において、給紙トレイの切替後における画像品質を確保する。【解決手段】画像形成装置の制御装置は、複数の用紙トレイの内のいずれか１つを、用紙を搬送経路内に給紙するための給紙トレイとして設定する。制御装置は、画像形成部が転写部材にトナー像の形成を開始した後に、当該トナー像を転写するための用紙が給紙トレイにないと判断された場合、給紙トレイを切り替える切替制御を行う。切替制御は、切替制御前の給紙トレイに対応づけられたパラメーターに基づいて、当該切替制御に伴う用紙に対する画像形成への影響が少なくなるように、補正制御を実施することを含む。【選択図】図４
2019056769.tif 000002
【特許請求の範囲】
【請求項１】
トナー像を転写部材に形成する画像形成部と、
用紙を格納する複数の用紙トレイと、
前記複数の用紙トレイのいずれかに格納された用紙が搬送される搬送経路と、
前記用紙に対する画像形成の条件を制御するための制御装置と、
前記複数の用紙トレイごとに、画像形成の条件に関するパラメーターを対応づけて記憶する記憶部とを備え、
前記制御装置は、
前記複数の用紙トレイの内のいずれか１つを、前記用紙を前記搬送経路内に給紙するための給紙トレイとして設定し、
前記画像形成部が前記転写部材にトナー像の形成を開始した後に、当該トナー像を転写するための用紙が前記給紙トレイにないと判断された場合、前記給紙トレイを切り替える切替制御を行い、
前記切替制御は、前記切替制御前の前記給紙トレイに対応づけられた前記パラメーターに基づいて、当該切替制御に伴う前記用紙に対する画像形成への影響が少なくなるように、補正制御を実施することを含む、画像形成装置。
【請求項２】
前記画像形成装置は、
前記搬送経路内を搬送された用紙に前記転写部材上のトナー像を転写するための転写装置と、
前記搬送経路において前記転写装置よりも上流側に配置され、用紙の搬送方向と直交する主走査方向における前記用紙の位置を検出するセンサーと、
前記用紙を前記主走査方向に移動させる移動装置とをさらに備え、
前記画像形成の条件に関するパラメーターは、前記用紙における画像の主走査方向の位置に関する位置パラメーターを含み、
前記制御装置は、前記切替制御前における前記給紙トレイに対応づけられた前記位置パラメーターと、前記センサーにより検出された前記位置とに基づいて、当該切替制御に伴う前記用紙に対する画像形成への影響が少なくなるように、前記切替制御後の前記給紙トレイから給紙される用紙に対する前記移動装置による移動量を決定し、前記移動装置による前記用紙の移動処理を前記補正制御として実施する、請求項１に記載の画像形成装置。
【請求項３】
前記画像形成装置は、
複数のモードを切り替え可能に構成されており、
前記制御装置は、前記決定した移動量が所定の閾値を超える場合において、
前記複数のモードのうち予め定められたモードに設定されているときは、前記用紙への画像形成を中断し、
前記予め定められたモード以外のモードに設定されているときは、前記所定の閾値に基づき前記移動装置による前記用紙の移動を行い、当該用紙への画像形成を実行する、請求項２に記載の画像形成装置。
【請求項４】
前記センサーは、前記移動装置による前記用紙の移動処理を行う際に、当該用紙の状態を検出する、請求項２または３に記載の画像形成装置。
【請求項５】
前記画像形成装置は、
前記搬送経路内を搬送された用紙に前記転写部材上のトナー像を転写するための転写装置と、
前記用紙に形成された画像を定着させるための定着装置とをさらに備え、
前記画像形成の条件に関するパラメーターは、前記画像形成部に関する画像形成パラメーターと、前記転写装置に関する転写パラメーターおよび前記定着装置の温度に関する温度パラメーターの少なくとも一方とを含み、
前記制御装置は、給紙トレイの切替制御前における給紙トレイに対応づけられたパラメーター、および切替後における給紙トレイに対応づけられたパラメーターに基づいて、当該切替制御に伴う前記用紙に対する画像形成への影響が少なくなるように、前記転写パラメーターおよび前記温度パラメーターの少なくとも一方のパラメーターを、前記補正制御として補正する、請求項１に記載の画像形成装置。
【請求項６】
前記画像形成装置は、複数のモードを切り替え可能に構成されており、
前記制御装置は、前記複数のモードのうち予め定められたモードに設定されているときは、前記用紙への画像形成を中断し、
前記予め定められたモード以外のモードに設定されているときは、前記転写パラメーターおよび前記温度パラメーターの少なくとも一方のパラメーターを補正し、前記用紙への画像形成を実行する、請求項５に記載の画像形成装置。
【請求項７】
前記制御装置は、前記用紙に前記転写部材上のトナー像を転写する前、または前記転写の後であって前記用紙に形成された画像を定着させる前において、前記給紙トレイを切り替える切替制御を行う、請求項５または６に記載の画像形成装置。
【請求項８】
ユーザの入力を受けるための入力装置をさらに備え、
前記制御装置は、前記入力装置からの入力に従い、前記切替制御を行なうタイミングを設定可能に構成されている、請求項１〜７のいずれか１項に記載の画像形成装置。
【請求項９】
複数の用紙トレイの内のいずれか１つを、用紙を給紙するための給紙トレイとして設定する画像形成装置の給紙トレイの切替方法であって、
前記複数の用紙トレイごとに、画像形成の条件に関するパラメーターを対応づけて記憶するステップと、
転写部材にトナー像の形成を開始した後に、当該トナー像を転写するための用紙が給紙トレイにないと判断された場合、前記給紙トレイを切り替えるステップとを含み、
前記切り替えるステップは、切替前の給紙トレイに対応づけられた前記パラメーターに基づいて、当該切替に伴う前記用紙に対する画像形成への影響が少なくなるように、補正制御を実施することを含む、画像形成装置の給紙トレイの切替方法。
【請求項１０】
複数の用紙トレイの内のいずれか１つを、用紙を給紙するための給紙トレイとして設定する画像形成装置の給紙トレイの切替方法を、当該画像形成装置の制御装置に実行させるプログラムであって、
前記複数の用紙トレイごとに、画像形成の条件に関するパラメーターを対応づけて記憶するステップと、
転写部材にトナー像の形成を開始した後に、当該トナー像を転写するための用紙が給紙トレイにないと判断された場合、前記給紙トレイを切り替えるステップとを、前記制御装置に実行させ、
前記切り替えるステップは、切替前の給紙トレイに対応づけられた前記パラメーターに基づいて、当該切替に伴う前記用紙に対する画像形成への影響が少なくなるように、補正制御を実施することを含む、プログラム。
【発明の詳細な説明】
【技術分野】
【０００１】
本開示は、画像形成装置に関し、より特定的には印字先行プリントにおける用紙トレイの制御に関する。
【背景技術】
【０００２】
近年、複数の用紙トレイを備える画像形成装置が普及している。ユーザーは、用紙トレイの１つを給紙トレイとして設定すると共に、用紙トレイ内に格納されている用紙に応じた画像形成の条件に関するパラメーターを、用紙トレイごとに設定することができる。そして、このような画像形成装置に関する技術として、印刷ジョブの実行中に給紙トレイが紙なし状態となった場合、他の用紙トレイを給紙トレイに自動的に切り替えて、給紙を中断することなく画像形成を続行するＡＴＳ（Auto  Tray  Select）機能が開発されている。
【０００３】
ＡＴＳ機能に関し、たとえば、特開２０１０−１３４１５８号公報（特許文献１）は、「画像パスが給紙パスより長い場合に生じる画像の劣化や生産性の低下、並びに長期間用紙トレイ内に保管されることによる転写紙の劣化といった不具合を解決可能な」画像形成装置を開示している（［要約］の［課題］参照）。また、特開２００２−３３７４３３号公報（特許文献２）は、「印刷途中で紙なし等によって、使用すべき給紙段が切り替わった場合、画像位置が適切に補正され、印刷品位が変化しない」画像形成装置を開示している（［要約］の［課題］参照）。
【先行技術文献】
【特許文献】
【０００４】
【特許文献１】特開２０１０−１３４１５８号公報
【特許文献２】特開２００２−３３７４３３号公報
【発明の概要】
【発明が解決しようとする課題】
【０００５】
しかし、上記従来の技術では、用紙の給紙前に中間転写ベルトへの画像形成を行う、いわゆる印字先行プリント機能を実行し、画像形成後に給紙トレイが紙なし状態となった場合、切替後の給紙トレイの用紙に形成される画像の品質を確保することができないといった不具合が発生していた。よって、画像形成におけるこのような不具合の発生を防止するための技術が必要とされている。
【０００６】
本開示は、上記問題点を解決するためになされたものであり、ある局面における目的は、印字先行プリント機能を備える画像形成装置において、給紙トレイの切替後における画像品質を確保することである。
【課題を解決するための手段】
【０００７】
ある局面に従うと、画像形成装置は、トナー像を転写部材に形成する画像形成部と、用紙を格納する複数の用紙トレイと、複数の用紙トレイのいずれかに格納された用紙が搬送される搬送経路と、用紙に対する画像形成の条件を制御するための制御装置と、複数の用紙トレイごとに、画像形成の条件に関するパラメーターを対応づけて記憶する記憶部とを備える。制御装置は、複数の用紙トレイの内のいずれか１つを、用紙を搬送経路内に給紙するための給紙トレイとして設定する。制御装置は、画像形成部が転写部材にトナー像の形成を開始した後に、当該トナー像を転写するための用紙が給紙トレイにないと判断された場合、給紙トレイを切り替える切替制御を行う。切替制御は、切替制御前の給紙トレイに対応づけられたパラメーターに基づいて、当該切替制御に伴う用紙に対する画像形成への影響が少なくなるように、補正制御を実施することを含む。
【０００８】
好ましくは、画像形成装置は、搬送経路内を搬送された用紙に転写部材上のトナー像を転写するための転写装置と、搬送経路において転写装置よりも上流側に配置され、用紙の搬送方向と直交する主走査方向における用紙の位置を検出するセンサーと、用紙を主走査方向に移動させる移動装置とをさらに備える。画像形成の条件に関するパラメーターは、用紙における画像の主走査方向の位置に関する位置パラメーターを含む。制御装置は、切替制御前における給紙トレイに対応づけられた位置パラメーターと、センサーにより検出された位置とに基づいて、当該切替制御に伴う用紙に対する画像形成への影響が少なくなるように、切替制御後の給紙トレイから給紙される用紙に対する移動装置による移動量を決定し、移動装置による用紙の移動処理を補正制御として実施する。
【０００９】
好ましくは、画像形成装置は、複数のモードを切り替え可能に構成されている。制御装置は、決定した移動量が所定の閾値を超える場合において、複数のモードのうち予め定められたモードに設定されているときは、用紙への画像形成を中断し、予め定められたモード以外のモードに設定されているときは、所定の閾値に基づき移動装置による用紙の移動を行い、当該用紙への画像形成を実行する。
【００１０】
好ましくは、センサーは、移動装置による用紙の移動処理を行う際に、当該用紙の状態を検出する。
【００１１】
好ましくは、画像形成装置は、搬送経路内を搬送された用紙に転写部材上のトナー像を転写するための転写装置と、用紙に形成された画像を定着させるための定着装置とをさらに備える。画像形成の条件に関するパラメーターは、画像形成部に関する画像形成パラメーターと、転写装置に関する転写パラメーターおよび定着装置の温度に関する温度パラメーターの少なくとも一方とを含む。制御装置は、給紙トレイの切替制御前における給紙トレイに対応づけられたパラメーター、および切替後における給紙トレイに対応づけられたパラメーターに基づいて、当該切替制御に伴う用紙に対する画像形成への影響が少なくなるように、転写パラメーターおよび温度パラメーターの少なくとも一方のパラメーターを、補正制御として補正する。
【００１２】
好ましくは、画像形成装置は、複数のモードを切り替え可能に構成されている。制御装置は、複数のモードのうち予め定められたモードに設定されているときは、用紙への画像形成を中断し、予め定められたモード以外のモードに設定されているときは、転写パラメーターおよび温度パラメーターの少なくとも一方のパラメーターを補正し、用紙への画像形成を実行する。
【００１３】
好ましくは、制御装置は、用紙に転写部材上のトナー像を転写する前、または転写の後であって用紙に形成された画像を定着させる前において、給紙トレイを切り替える切替制御を行う。
【００１４】
好ましくは、画像形成装置は、ユーザの入力を受けるための入力装置をさらに備える。制御装置は、入力装置からの入力に従い、切替制御を行なうタイミングを設定可能に構成されている。
【００１５】
他の局面に従うと、複数の用紙トレイの内のいずれか１つを、用紙を給紙するための給紙トレイとして設定する画像形成装置の給紙トレイの切替方法が提供される。給紙トレイの切替方法は、複数の用紙トレイごとに、画像形成の条件に関するパラメーターを対応づけて記憶するステップと、転写部材にトナー像の形成を開始した後に、当該トナー像を転写するための用紙が給紙トレイにないと判断された場合、給紙トレイを切り替えるステップとを含む。切り替えるステップは、切替前の給紙トレイに対応づけられたパラメーターに基づいて、当該切替に伴う用紙に対する画像形成への影響が少なくなるように、補正制御を実施することを含む。
【００１６】
さらに他の局面に従うと、複数の用紙トレイの内のいずれか１つを、用紙を給紙するための給紙トレイとして設定する画像形成装置の給紙トレイの切替方法を、当該画像形成装置の制御装置に実行させるプログラムが提供される。プログラムは、複数の用紙トレイごとに、画像形成の条件に関するパラメーターを対応づけて記憶するステップと、転写部材にトナー像の形成を開始した後に、当該トナー像を転写するための用紙が給紙トレイにないと判断された場合、給紙トレイを切り替えるステップとを、制御装置に実行させる。切り替えるステップは、切替前の給紙トレイに対応づけられたパラメーターに基づいて、当該切替に伴う用紙に対する画像形成への影響が少なくなるように、補正制御を実施することを含む。
【００１７】
ある局面において、印字先行プリント機能を備える画像形成装置は、給紙トレイの切替後における画像品質を確保することができる。
【００１８】
上記および他の目的、特徴、局面および利点は、添付の図面と関連して理解される次の詳細な説明から明らかとなるであろう。
【図面の簡単な説明】
【００１９】
【図１】画像形成装置の全体構造の一例を示す図である。
【図２】画像形成装置のハードウェア構成を示すブロック図である。
【図３】関連技術に係る画像形成装置のレジストローラーでの搖動制御を示す図である。
【図４】用紙移動量の補正処理に係る機能ブロック図である。
【図５】記憶装置に記憶されるパラメーターテーブルを示す図である。
【図６】用紙移動量の補正処理の概要を示す図である。
【図７】用紙移動量の補正結果を示す図である。
【図８】用紙移動量の補正処理の手順を示すフローチャートである。
【図９】第１の実施の形態の変形例における用紙移動量の補正処理の手順を示すフローチャートである。
【図１０】第２の実施の形態に係るパラメーターの補正処理における機能ブロック図である。
【図１１】第２の実施の形態に係るパラメーターテーブルを示す図である。
【図１２】第２の実施の形態に係るパラメーターの補正結果を示す図である。
【図１３】第２の実施の形態に係る画像形成の条件に関するパラメーターの補正処理の手順を示すフローチャートである。
【図１４】第２の実施の形態の変形例１における画像形成の条件に関するパラメーターの補正処理の手順を示すフローチャートである。
【図１５】第２の実施の形態の変形例２における画像形成の条件に関するパラメーターの補正処理の手順を示すフローチャートである。
【発明を実施するための形態】
【００２０】
以下、図面を参照しつつ、本発明に従う各実施の形態について説明する。以下の説明では、同一の部品および構成要素には同一の符号を付してある。それらの名称および機能も同じである。したがって、これらについての詳細な説明は繰り返さない。なお、以下で説明される各実施の形態および各変形例は、適宜選択的に組み合わされてもよい。
【００２１】
＜第１の実施の形態＞
［１．画像形成装置１００の構成］
図１を参照して、ある実施の形態に従う画像形成装置１００について説明する。図１は、画像形成装置１００の全体構造の一例を示す図である。
【００２２】
図１には、カラープリンターとしての画像形成装置１００が示されている。以下では、カラープリンターとしての画像形成装置１００について説明するが、画像形成装置１００は、カラープリンターに限定されない。たとえば、画像形成装置１００は、モノクロプリンターであってもよいし、モノクロプリンター、カラープリンターおよびファクシミリの複合機（いわゆるＭＦＰ（Multi  Functional  Peripheral））であってもよい。
【００２３】
画像形成装置１００は、画像読取部としてのスキャナー２０と、画像形成部９０（詳細には、画像形成部９０Ｙ，９０Ｍ，９０Ｃ，９０Ｋ）を含むプリンター２５とを備える。スキャナー２０は、カバー２１と、用紙台２２と、用紙トレイ３７（詳細には、用紙トレイ３７Ａ，３７Ｂ，３７Ｃ）と、ＡＤＦ（Auto  Document  Feeder）２４とを備える。カバー２１の一端は、用紙台２２に固定されており、カバー２１は、当該一端を支点として開閉可能に構成されている。
【００２４】
画像形成装置１００のユーザーは、カバー２１を開くことで、原稿を用紙台２２にセットすることができる。画像形成装置１００は、原稿が用紙台２２にセットされた状態でスキャン指示を受け付けると、用紙台２２にセットされた原稿のスキャンを開始する。また、画像形成装置１００は、原稿が用紙トレイ３７にセットされた状態でスキャン指示を受け付けると、ＡＤＦ２４によって１枚ずつ自動的に原稿を読み取る。
【００２５】
プリンター２５は、画像形成部９０Ｙ，９０Ｍ，９０Ｃ，９０Ｋと、ＩＤＣ（Image  Density  Control）センサー１９と、転写ベルト３０と、一次転写ローラー３１と、転写駆動機３２と、二次転写ローラー３３と、用紙トレイ３７Ａ，３７Ｂ，３７Ｃと、従動ローラー３８と、駆動ローラー３９と、レジストローラー４０と、クリーニングユニット４３と、定着装置６０と、制御装置１０１とを備える。
【００２６】
画像形成部９０Ｙ，９０Ｍ，９０Ｃ，９０Ｋは、転写ベルト３０に沿って順に並べられている。画像形成部９０Ｙは、トナーボトル１５Ｙからトナーの供給を受けてイエロー（Ｙ）のトナー像を形成する。画像形成部９０Ｍは、トナーボトル１５Ｍからトナーの供給を受けてマゼンタ（Ｍ）のトナー像を形成する。画像形成部９０Ｃは、トナーボトル１５Ｃからトナーの供給を受けてシアン（Ｃ）のトナー像を形成する。画像形成部９０Ｋは、トナーボトル１５Ｋからトナーの供給を受けてブラック（ＢＫ）のトナー像を形成する。
【００２７】
画像形成部９０Ｙ，９０Ｍ，９０Ｃ，９０Ｋは、それぞれ、転写ベルト３０に沿って転写ベルト３０の回転方向の順に配置されている。画像形成部９０Ｙ，９０Ｍ，９０Ｃ，９０Ｋはそれぞれ、回転可能に構成されている感光体１０と、帯電装置１１と、露光装置１３と、現像器１４と、クリーニングユニット１７と、除電装置１８とを備える。
【００２８】
画像形成部９０Ｙ，９０Ｍ，９０Ｃ，９０Ｋがそれぞれ、上述したように作動した後に、転写駆動機３２の転写によって、イエロー（Ｙ）のトナー像、マゼンタ（Ｍ）のトナー像、シアン（Ｃ）のトナー像、およびブラック（ＢＫ）のトナー像が順に重ねられて感光体１０から転写ベルト３０に転写される。これにより、カラーのトナー像が転写ベルト３０上に形成される。
【００２９】
ＩＤＣセンサー１９は、転写ベルト３０上に形成されるトナー像３５の濃度を検出する。典型的には、ＩＤＣセンサー１９は、反射型フォトセンサーからなる光強度センサーであり、転写ベルト３０の表面からの反射光強度を検出する。
【００３０】
転写ベルト３０は、従動ローラー３８と駆動ローラー３９とに張架されている。駆動ローラー３９はモーター（図示しない）に接続されている。制御装置１０１が当該モーターを制御することにより、駆動ローラー３９は回転する。転写ベルト３０および従動ローラー３８は、駆動ローラー３９に連動して回転する。これにより、転写ベルト３０上のトナー像３５が二次転写ローラー３３に送られる。
【００３１】
用紙トレイ３７Ａ，３７Ｂ，３７Ｃのそれぞれには、たとえば、異なるサイズまたは紙種の用紙がセットされる。用紙は、用紙トレイ３７Ａ，３７Ｂ，３７Ｃの内から給紙トレイとして設定されたものから１枚ずつ搬送経路４１に搬送される。用紙は、レジストローラー４０によって二次転写ローラー３３に送られる。
【００３２】
制御装置１０１は、用紙が送り出されるタイミングに合わせて、二次転写ローラー３３に印加される転写電圧を制御する。二次転写ローラー３３は、トナー像３５の帯電極性と逆極性の転写電圧を搬送中の用紙に印加する。その結果、トナー像３５は、転写ベルト３０から二次転写ローラー３３に引き付けられ、転写ベルト３０上のトナー像３５が転写される。
【００３３】
二次転写ローラー３３への用紙の搬送タイミングは、転写ベルト３０上のトナー像３５の位置に合わせてレジストローラー４０によって制御される。その結果、転写ベルト３０上のトナー像３５は、用紙の適切な位置に転写される。レジストローラー４０における用紙の転写位置の制御については、詳細を後述する。
【００３４】
定着装置６０は、定着装置６０を通過する用紙を加圧および加熱する。これにより、トナー像は用紙に定着する。その後、用紙は、排紙トレイ４８に排出される。
【００３５】
クリーニングユニット４３は、転写ベルト３０から用紙へのトナー像の転写後に転写ベルト３０の表面に残留するトナーを回収する。回収されたトナーは、搬送スクリュー（図示しない）で搬送され、廃トナー容器（図示しない）に貯められる。
【００３６】
［２．ハードウェア構成］
図２を参照して、画像形成装置１００のハードウェア構成の一例について説明する。図２は、画像形成装置１００のハードウェア構成を示すブロック図である。
【００３７】
図２に示すように、画像形成装置１００は、制御装置１０１と、ＲＯＭ（Read  Only  Memory）１０２と、ＲＡＭ（Random  Access  Memory）１０３と、ネットワークインターフェイス１０４と、操作パネル１０５と、スキャナー２０と、温度センサー７０と、湿度センサー８０と、画像形成部９０と、記憶装置１２０とを含む。
【００３８】
制御装置１０１は、たとえば、少なくとも１つの集積回路によって構成される。集積回路は、たとえば、少なくとも１つのＣＰＵ（Central  Processing  Unit）、少なくとも１つのＡＳＩＣ（Application  Specific  Integrated  Circuit）、少なくとも１つのＦＰＧＡ（Field  Programmable  Gate  Array）、またはそれらの組み合わせなどによって構成される。
【００３９】
制御装置１０１は、画像形成装置１００の制御パラメーターを調整するためのプログラム１２２などの各種プログラムを実行することで画像形成装置１００の動作を制御する。制御装置１０１は、プログラム１２２の実行命令を受け付けたことに基づいて、記憶装置１２０からＲＡＭ１０３にプログラム１２２を読み出す。ＲＡＭ１０３は、ワーキングメモリとして機能し、プログラム１２２の実行に必要な各種データを一時的に格納する。
【００４０】
ネットワークインターフェイス１０４には、アンテナ（図示しない）などが接続される。画像形成装置１００は、アンテナを介して、外部の通信機器との間でデータをやり取りする。外部の通信機器は、たとえば、スマートフォンなどの携帯通信端末、サーバーなどを含む。画像形成装置１００は、プログラム１２２をアンテナを介してサーバーからダウンロードできるように構成されてもよい。
【００４１】
操作パネル１０５は、ディスプレイ（図示しない）とタッチパネル（図示しない）とを含む。ディスプレイおよびタッチパネルは互いに重ねられており、画像形成装置１００は、タッチパネルに対する操作を受け付ける。
【００４２】
記憶装置１２０は、たとえば、ハードディスク、ＳＳＤ（Solid  State  Drive）その他の記憶装置である。記憶装置１２０は、内蔵式、外付け式のいずれであってもよい。記憶装置１２０は、本実施の形態に従うプログラム１２２などを格納する。ただし、プログラム１２２の格納場所は記憶装置１２０に限定されず、制御装置１０１の記憶領域（たとえば、キャッシュなど）、ＲＯＭ１０２、ＲＡＭ１０３、外部機器（たとえば、サーバー）などに格納されていてもよい。
【００４３】
プログラム１２２は、単体のプログラムとしてではなく、任意のプログラムの一部に組み込まれて提供されてもよい。この場合、本実施の形態に従う制御処理は、任意のプログラムと協働して実現される。このような一部のモジュールを含まないプログラムであっても、本実施の形態に従うプログラム１２２の趣旨を逸脱するものではない。
【００４４】
さらに、プログラム１２２によって提供される機能の一部または全部は、専用のハードウェアによって実現されてもよい。さらに、少なくとも１つのサーバーがプログラム１２２の処理の一部を実行する、いわゆるクラウドサービスのような形態で画像形成装置１００が構成されてもよい。
【００４５】
［３．画像形成装置１００による補正制御］
（３．１．関連技術と問題点）
図３を参照して、本実施形態に係る画像形成装置の関連技術と問題点を説明する。図３は、関連技術に係る画像形成装置のレジストローラーでの搖動制御を示す図である。
【００４６】
図３に示すように、用紙トレイから搬送された用紙Ｓは、トナー像の転写前にレジストローラーＡによって停止する。ラインセンサーＢは、搬送経路内の通紙方向と直交する主走査方向における用紙Ｓの位置を検出する。図（Ａ）は、基準線Ｃに合わされた画像の形成位置に対して、用紙Ｓが主走査方向に＋Ｘズレている例を示す。
【００４７】
レジストローラーＡは、主走査方向に移動可能に構成されている。一例として、レジストローラーＡは、駆動機構Ｍに接続される。駆動機構Ｍは、たとえば、モーターと偏心カムとの組み合わせにより構成される。または、駆動機構Ｍは、ラックアンドピニオンによって構成されてもよい。レジストローラーＡは、用紙Ｓを挟持した状態で主走査方向に移動することにより、用紙を主走査方向に移動させる。すなわち、レジストローラーＡおよび駆動機構Ｍは、用紙を主走査方向に移動させる移動装置として機能する。
【００４８】
この場合、たとえば図（Ｂ）に示すように、駆動機構ＭおよびレジストローラーＡにより、用紙Ｓを主走査方向に−Ｚ１移動させて、用紙Ｓと画像の形成位置とを合わせる。このとき、Ｘ＝Ｚ１の関係が成り立つ。
【００４９】
しかし、上記図（Ｂ）に示す方法では、用紙Ｓのズレ量（以下、揺動量ともいう）が大きい場合には、駆動機構ＭおよびレジストローラーＡによる用紙Ｓの移動に時間がかかり、画像形成装置の生産性を低下させてしまう。そこで、図（Ｃ）に示すように、用紙Ｓの移動と合わせて、画像の形成位置をずらすことにより、用紙Ｓと画像の形成位置とを合わせることができる。これは、たとえば、露光装置１３による感光体１０の主走査方向の露光位置をずらすことにより実現され得る。
【００５０】
図（Ｃ）に示す例では、レジストローラーＡは用紙Ｓを主走査方向に−Ｚ２移動するとともに、画像形成部が転写ベルトに形成する画像の形成位置を主走査方向に＋Ｙずらしている。このとき、Ｘ＝Ｙ＋Ｚ２の関係が成り立つ。このようにすることで、レジストローラーＡによる用紙Ｓの移動時間を短縮した上で、用紙Ｓの適切な位置に画像を形成することが可能となる。ここで、レジストローラーＡまで搬送された用紙Ｓの搖動量の平均値は、どの用紙トレイから給紙されたかによって異なるため、画像の形成位置は、用紙トレイごとに設定されることになる。
【００５１】
それに対して、転写ベルトに画像を形成した後に給紙トレイが紙なし状態となると、給紙トレイが切り替えられ、切り替え後の用紙トレイに設定された画像の形成位置に基づいて用紙の移動量が算出される。しかし、転写ベルトへの画像形成自体は切替前の用紙トレイに設定された形成位置に基づいているため、用紙Ｓの移動量を適切に算出できなくなるという事象が生じる。そこで、本実施形態に係る画像形成装置１００は、以下に述べる用紙移動量の補正処理を行う。
【００５２】
（３．２．用紙移動量の補正処理）
図４〜図７を参照して、用紙移動量の補正処理を説明する。図４は、用紙移動量の補正処理に係る機能ブロック図である。図５は、記憶装置１２０に記憶されるパラメーターテーブル１５０を示す図である。図６は、用紙移動量の補正処理の概要を示す図である。図７は、用紙移動量の補正結果を示す図である。
【００５３】
図４に示すように、画像形成装置１００の備える制御装置１０１は、転写ベルト３０に形成されたトナー像を転写するための用紙が給紙トレイにあるか否かを判断する。たとえば、制御装置は、各給紙トレイに設けられた用紙センサー（図示しない）（たとえば、光学センサー、重量センサー）の出力に基づいて上記判断を行なう。制御装置１０１は、給紙トレイに用紙がないと判断した場合、給紙トレイを切り替える切替制御を行う。切替制御後の給紙トレイである用紙トレイ３７Ｂから、用紙Ｓ２が給紙される。制御装置１０１は、切替制御前の給紙トレイである用紙トレイ３７Ａに対応づけられた位置パラメーターＹと、ラインセンサー５０により検出された搖動量とに基づいて、用紙Ｓ２に対するレジストローラー４０による移動量を決定する。制御装置１０１は、給紙トレイの切替制御に伴う用紙に対する画像形成への影響が少なくなるように、当該移動量を決定する。制御装置１０１は、決定した移動量に基づいて、駆動機構４５に制御信号を出力する。これにより、用紙Ｓ２は、主走査方向に決定した移動量だけ移動される。
【００５４】
図５に示すように、記憶装置１２０に記憶されるパラメーターテーブル１５０は、用紙トレイ３７Ａ〜３７Ｃごとに、画像条件に関するパラメーターとしての位置パラメーターＹを対応づけている。ここで、位置パラメーターＹは、転写ベルトにおいて画像が形成される主走査方向の位置を、基準線Ｃ（図６参照）に対する位置（ｍｍ）として規定している。
【００５５】
図６（Ａ）に示す例では、用紙トレイ３７Ａが給紙トレイとして設定されている。用紙トレイ３７Ａ内の用紙Ｓ１に転写される画像は、基準線Ｃに対して主走査方向に＋Ｙ１ズレる形で転写ベルト３０に画像形成される。そして、搬送経路４１を搬送された用紙Ｓ１がレジストローラー４０まで到達すると、ラインセンサー５０は主走査方向の搖動量を検出する。ラインセンサー５０は、駆動機構４５およびレジストローラー４０による用紙の移動処理を行う際に、当該用紙の状態を検出する。
【００５６】
ここで、ラインセンサー５０が、用紙Ｓ１の主走査方向の搖動量＋Ｘ１を検出されると、制御装置１０１は、駆動機構４５を制御して、用紙Ｓ１を−（Ｘ１−Ｙ１）移動させる。その結果、転写ベルト３０に形成されている画像の位置と、用紙Ｓ１の位置とが合うこととなり、用紙Ｓ１の適切な位置に画像が形成される。
【００５７】
図６（Ｂ）を参照して、印字先行プリント方式を採用する画像形成装置１００において、印字開始後に給紙トレイが変更された場合について説明する。画像形成装置１００は印字先行プリント方式を採用しているため、画像形成部９０は、給紙トレイが紙なし状態か否かを検出する前に、転写ベルト３０への画像形成を行う。ある局面において、制御装置１０１は、画像形成部９０が転写ベルト３０へのトナー像の形成を開始した後に、給紙トレイとして設定されている用紙トレイ３７Ａが紙なし状態であると判断し、給紙トレイを切り替える切替制御を行う。たとえば、制御装置１０１は、給紙トレイ３７Ａに収容されている用紙のサイズまたは紙種と同じサイズまたは紙種の用紙を収容する給紙トレイ３７Ｂに切り替える。
【００５８】
この場合、画像形成部９０による転写ベルト３０への画像形成は、切替前の用紙トレイ３７Ａに設定された位置パラメーターＹ１に基づいて行われている。すなわち、主走査方向の基準線からプラス方向にＹ１ズレる形で転写ベルト３０に画像形成されている。そして、用紙トレイ３７Ｂから搬出された用紙Ｓ２がレジストローラー４０まで到達すると、ラインセンサー５０により主走査方向の搖動量が検出される。ラインセンサー５０は、用紙Ｓ１の主走査方向への搖動量＋Ｘ２を検出し、制御装置１０１は、駆動機構４５およびレジストローラー４０を制御して、用紙Ｓ２を−（Ｘ２−Ｙ１）移動させる。
【００５９】
すなわち、制御装置１０１は、切替制御前の給紙トレイである用紙トレイ３７Ａに対応づけられた位置パラメーターＹと、ラインセンサー５０により検出された搖動量とに基づいて、用紙トレイ３７Ｂから給紙される用紙Ｓ２に対する移動量を決定する。
【００６０】
図７に示すように、給紙トレイが用紙トレイ３７Ａから用紙トレイ３７Ｂに切り替わった直後に用紙トレイ３７Ｂから給紙された用紙Ｓ２の移動量は、切替前の用紙トレイ３７Ａに対応づけられた位置パラメーターＹ１に基づいて決定される。そして、その後の用紙Ｓ３の移動量は、用紙Ｓ３が格納されている用紙トレイ３７Ｂに対応づけられている位置パラメーターＹ２に基づいて決定される。
【００６１】
［４．処理手順］
図８を参照して、用紙移動量の補正処理の手順を説明する。図８は、用紙移動量の補正処理の手順を示すフローチャートである。当該処理は、たとえば制御装置１０１のＣＰＵが所与のプログラムを実行することによって実現される。
【００６２】
ステップＳ１０において、制御装置１０１は、ユーザーによる指示に基づいて、印刷ジョブの実行を開始するか否かを判断する。印刷ジョブの実行を開始する場合（ステップＳ１０においてＹＥＳ）、制御装置１０１は、制御をステップＳ２０に切り替える。そうでない場合（ステップＳ１０においてＮＯ）、制御装置１０１は、再度ステップＳ１０を行う。
【００６３】
ステップＳ２０において、制御装置１０１は、用紙トレイ３７Ａを給紙トレイとして設定する。制御装置１０１は、制御をステップＳ３０に切り替える。
【００６４】
ステップＳ３０において、制御装置１０１は、画像形成部９０を制御して、用紙トレイ３７Ａに対応づけられた位置パラメーターＹ１に基づいて、転写ベルト３０上にトナー像を形成する。制御装置１０１は、制御をＳ４０に切り替える。
【００６５】
ステップＳ４０において、制御装置１０１は、用紙トレイ３７Ａの備える用紙センサーの検出結果に基づいて、給紙トレイとして設定されている用紙トレイ３７Ａが紙なし状態であるか否かを判定する。用紙トレイ３７Ａが紙なし状態である場合（ステップＳ４０においてＹＥＳ）、制御装置１０１は、制御をステップＳ５０に切り替える。そうでない場合（ステップＳ４０においてＮＯ）、制御装置１０１は、制御をステップＳ７０に切り替える。
【００６６】
ステップＳ５０において、制御装置１０１は、用紙トレイ３７Ｂが紙なし状態であるか否かを、用紙トレイ３７Ｂの備える用紙センサーの検出結果に基づいて判定する。用紙トレイ３７Ｂが紙なし状態である場合（ステップＳ５０においてＹＥＳ）、制御装置１０１は、制御をステップＳ８０に切り替える。そうでない場合（ステップＳ５０においてＮＯ）、制御装置１０１は、制御をステップＳ６０に切り替える。
【００６７】
一方、ステップＳ６０において、制御装置１０１は、用紙トレイ３７Ｂを給紙トレイに設定する。制御装置１０１は、制御をステップＳ７０に切り替える。
【００６８】
ステップＳ７０において、制御装置１０１は、設定されている給紙トレイから用紙を給紙する。制御装置１０１は、制御をステップＳ９０に切り替える。
【００６９】
ステップＳ８０において、制御装置１０１は転写ベルト３０上に形成されたトナー像を破棄し、処理を終了する。
【００７０】
ステップＳ９０において、制御装置１０１は、レジストローラー４０に搬送された用紙の主走査方向の搖動量を、ラインセンサー５０によって検出する。制御装置１０１は、制御をステップＳ１００に切り替える。
【００７１】
ステップＳ１００において、制御装置１０１は、記憶装置１２０を参照し、画像形成時の給紙トレイに対応づけられた位置パラメーターと、ラインセンサー５０が検出した用紙の主走査方向の搖動量とに基づいて、駆動機構４５およびレジストローラー４０による用紙の移動量を決定する。制御装置１０１は、制御をステップＳ１１０に切り替える。
【００７２】
ステップＳ１１０において、制御装置１０１は、駆動機構４５を制御して、用紙の移動処理を行う。制御装置１０１は、制御をステップＳ１２０に切り替える。
【００７３】
ステップＳ１２０において、制御装置１０１は、ユーザーの指示に基づき印刷ジョブを終了するか否かを判定する。印刷ジョブを終了する場合（ステップＳ１２０においてＹＥＳ）、制御装置１０１は、処理を終了する。そうでない場合（ステップＳ１２０においてＹＥＳ）、制御装置１０１は、制御をステップＳ３０に切り替え、処理を続行する。
【００７４】
［５．変形例］
図９を参照して、第１の実施の形態の変形例を説明する。図９は、第１の実施の形態の変形例における用紙移動量の補正処理の手順を示すフローチャートである。当該処理は、たとえば制御装置１０１のＣＰＵが所与のプログラムを実行することによって実現される。
【００７５】
本変形例では、制御装置１０１は、決定された用紙の移動量が所定の閾値より大きい場合、移動処理を実施すると後続の処理の効率が低下するため、当該移動量の用紙移動を行わない。そこで、制御装置１０１は、決定された用紙の移動量と所定の閾値とを比較して、用紙の移動量の方が当該閾値よりも多い場合であって、画像の形成位置の精度を優先しないモードが設定がされているときには、当該閾値分だけ用紙の移動を行う。一方、用紙の移動量の方が当該閾値よりも多い場合であって、画像の形成位置の精度を優先するモードが設定されているときには、制御装置１０１は、エラーメッセージを出力して、用紙への画像形成を行わない。ここで所定の閾値は、たとえば、後続の用紙に対する画像形成に支障をきたさない時間にレジストローラー４０によって用紙を移動することができる距離に設定される。より具体的には、所定の閾値は、紙間の距離、用紙の搬送速度、移動処理における移動速度等に基づいて算出される。
【００７６】
図９を参照して、ステップＳ１０１０〜ステップＳ１１００の処理は、図８におけるＳ１０〜Ｓ１００の処理と同様であるため、説明は繰り返さない。ステップＳ１１１０において、制御装置１０１は、記憶装置１２０に記憶されている所定の閾値に基づいて、決定された用紙の移動量が当該閾値以下であるか否かを判定する。決定された用紙の移動量が当該閾値以下である場合（ステップＳ１１１０においてＹＥＳ）、制御装置１０１は、ステップＳ１１４０において、用紙の移動処理を実行する。そうでない場合（ステップＳ１１１０においてＮＯ）、制御装置１０１は、制御をステップＳ１１２０に切り替える。
【００７７】
ステップＳ１１２０において、制御装置１０１は、ユーザーの選択に基づいて、用紙への画像形成位置の精度が優先されるモードが設定されているか否かを判定する。用紙への画像形成位置の精度が優先されるモードが設定されている場合（ステップＳ１１２０においてＹＥＳ）、制御装置１０１は、制御をステップＳ１１５０に切り替え、エラー出力をして処理を終了する。そうでない場合（ステップＳ１１２０においてＮＯ）、制御装置１０１は、制御をステップＳ１１３０に切り替える。用紙への画像形成位置の精度が優先されるモードは、たとえば、高画質モードを含む。
【００７８】
ステップＳ１１３０において、制御装置１０１は、所定の閾値を用紙の移動量として設定する。制御装置１０１は、制御をステップＳ１１４０へ切り替え、用紙の移動処理を実施する。その後、ステップＳ１１６０において印刷ジョブを終了するか否かを判定する。
【００７９】
上記構成とすることにより、画像形成装置１００は、形成する画像の用途に応じて、処理効率を損なわない範囲で、用紙の移動処理を実行することができる。その結果、ユーザーの用途に応じた利便性が向上される。
【００８０】
［６．小括］
以上のようにして、第１の実施の形態では、制御装置１０１は、給紙トレイの切替制御前における給紙トレイに対応づけられた位置パラメーターと、ラインセンサー５０により検出された位置とに基づいて、当該切替制御に伴う用紙に対する画像形成への影響が少なくなるように、切替制御後の給紙トレイから給紙される用紙に対する移動量を決定する。
【００８１】
上記構成とすることにより、印字先行プリント機能を備える画像形成装置１００は、画像形成部９０による転写ベルト３０上へのトナー像の形成が開始された後に、給紙トレイが切り替えられた場合において、切替前の用紙トレイに対応づけられた位置パラメーターに基づいて、用紙の移動処理を実施する。これにより、用紙トレイ切替直後の用紙について適切な位置に画像を形成することができる。
【００８２】
＜第２の実施の形態＞
［１．概要］
第２の実施の形態では、画像形成の条件に関するパラメーターは、画像形成部９０に関する画像形成パラメーター、２次転写に関する転写パラメーター、および定着装置６０の温度に関する温度パラメーターである点で、第１の実施の形態と異なる。なお、本実施形態においては、前述の実施の形態に係る画像形成装置１００が備える構成と同様の構成には、画像形成装置１００の符号と同一の符号を付してある。したがって、それらの説明は繰り返さない。
【００８３】
［２．詳細］
図１０〜図１２を参照して、第２の実施の形態に係るパラメーターの補正処理について説明する。図１０は、第２の実施の形態に係るパラメーターの補正処理における機能ブロック図である。図１１は、第２の実施の形態に係るパラメーターテーブル２５０を示す図である。図１２は、第２の実施の形態に係るパラメーターの補正結果を示す図である。
【００８４】
図１０および図１１に示すように、第２の実施の形態に係る画像形成装置２００は、画像形成の条件に関するパラメーターとして、画像形成部９０に関する画像形成パラメーターＰ、２次転写に関する転写パラメーターＱ、および定着装置６０における定着温度に関する温度パラメーターＲとを含む。制御装置２０１は、給紙トレイの切替制御前における給紙トレイに対応づけられたパラメーターＰ，Ｑ，Ｒ、および切替後における給紙トレイに対応づけられたパラメーターＰ，Ｑ，Ｒに基づいて、切替制御に伴う用紙に対する画像形成への影響が少なくなるように、当該転写パラメーターＱ、および温度パラメーターＲの少なくとも１つのパラメーターを補正する補正処理を実施する。
【００８５】
図１１に示すように、記憶装置１２０に記憶されるパラメーターテーブル２５０は、用紙トレイ３７Ａ，３７Ｂ，３７Ｃのそれぞれに、画像形成パラメーターＰ、転写パラメーターＱ、温度パラメーターＲを対応づけている。
【００８６】
画像形成パラメーターＰは、中間転写ベルト３０に形成されるトナー像に印加する圧力に関するパラメーターを含む。または、画像形成パラメーターＰは、帯電装置１１における帯電バイアス値、露光装置１３における露光強度、現像器１４における現像バイアス値などの値を含み得る。一例として、画像形成パラメーターＰが＋１インクリメントされると、トナー像が濃くなるように、帯電バイアス値（絶対値）が＋５０Ｖ印加される。
【００８７】
転写パラメーターＱは、用紙に転写されるトナー像の濃さに関するパラメーターを含む。たとえば、転写パラメーターＱは、二次転写ローラー３３に印加される二次転写バイアス値を含む。一例として、転写パラメーターＱが＋１インクリメントされると、トナー像が濃くなるように、二次転写バイアス値が＋５０Ｖ印加される。
【００８８】
温度パラメーターＲは、定着装置６０における定着温度を含む。定着温度が高いほど、トナーは用紙に定着される。換言すれば、温度パラメーターＲは、用紙に定着されるトナー像の濃さに関するパラメーターとも言える。一例として、温度パラメーターＲが＋１インクリメントされると、トナー像が濃くなるように、定着温度が＋５℃高く設定される。
【００８９】
各パラメーターは、たとえば、−５〜＋５の値をとるように構成し得る。ユーザーは、これらのパラメーターＰ，Ｑ，Ｒを、格納されている用紙に合わせて用紙トレイごとに設定することができ、設定値に応じた画質の画像形成をすることが可能となっている。
【００９０】
図１２に示すように、給紙トレイが３７Ａの用紙Ｓ１については、画像形成は、パラメーターテーブル２５０に設定された画像形成パラメーターＰ、転写パラメーターＱ、温度パラメーターＲを用いて実行される。すなわち、まず、画像形成装置２００の備える印字先行プリント機能が実行され、給紙トレイである用紙トレイ３７Ａに対応づけられている画像形成パラメーターＰにより、画像形成部９０は転写ベルト３０上にトナー像を形成する。
【００９１】
その後、用紙トレイ３７Ａの備える用紙センサーにより、用紙トレイ３７Ａが紙なし状態であることが検出され、給紙トレイが３７Ｂに切り替えられる。制御装置２０１は、切替前の用紙トレイ３７Ａと切替後の用紙トレイ３７Ｂとのそれぞれに対応づけられているパラメーターに基づいて、転写パラメーターＱおよび温度パラメーターＲを補正する。
【００９２】
図１２に示す例では、用紙トレイ３７Ｂに対応づけて設定されていた画像形成パラメーターＰと転写パラメーターＱの関係、および画像形成パラメーターＰと温度パラメーターＲとの関係が維持されるように、転写パラメーターＱおよび転写パラメーターＣを補正する。すなわち、用紙トレイ３７Ｂに対応づけられている画像形成パラメーターＰの値は−１であるのに対して転写パラメーターＱの値は１であり、その差は＋２である。よって、転写ベルト３０上にトナー像を形成した際の画像パラメーターＡの値である＋２に対して、当該差の＋２を補正して、用紙Ｓ２に対する転写作業における転写パラメーターＱの値を＋４インクリメントする。
【００９３】
同様に、用紙トレイ３７Ｂに対応づけられている画像形成パラメーターＰの値は−１であるのに対して温度パラメーターＲの値は−２であり、その差は−１である。よって、転写ベルト３０上にトナー像を形成した際の画像パラメーターＡの値である＋２に対して、当該差の−１を補正して、用紙Ｓ２に対する転写作業における転写パラメーターＱの値を＋１インクリメントする。
【００９４】
上述のように、画像形成パラメーターＰ、転写パラメーターＱ、および温度パラメーターＲは、トナー像の濃さに関する。実施形態２に従う制御装置２０１は、既に印字された際に用いられた画像形成パラメーターＰに対する、他のパラメーターの関係を維持する。これにより、制御装置２０１は、給紙トレイの切り替えによる、トナー像の濃さの変動を抑制する。
【００９５】
［３．処理手順］
図１３を参照して、第２の実施の形態に係る画像形成の条件に関するパラメーターの補正処理の手順を説明する。図１３は、第２の実施の形態に係る画像形成の条件に関するパラメーターの補正処理の手順を示すフローチャートである。当該処理は、たとえば制御装置２０１のＣＰＵが所与のプログラムを実行することによって実現される。ステップＳ２０１０〜ステップＳ２０８０の各処理は、図８におけるステップＳ１０〜ステップＳ８０の各処理と同様のため、それらの処理の説明は繰り返さない。
【００９６】
ステップＳ２０９０において、制御装置２０１は、記憶装置１２０に記憶されている切替フラグに基づいて、給紙トレイの切替の有無を判断する。切替がなかった場合（ステップＳ２０９０においてＮＯ）、制御装置２０１は、制御をステップＳ２１００に切り替える。そうでない場合（ステップＳ２０９０においてＹＥＳ）、制御装置２０１は、制御をステップＳ２１１０に切り替える。
【００９７】
ステップＳ２１００において、制御装置２０１は、給紙トレイに対応づけられている転写パラメーターＱおよび温度パラメーターＲの補正を行わない。制御装置２０１は、制御をステップＳ２１２０に切り替える。
【００９８】
一方、ステップＳ２１１０において、制御装置２０１は、切替前後の給紙トレイの転写パラメーターＱと温度パラメーターＲとに基づいて、転写パラメーターＱと温度パラメーターとを補正する。制御装置２０１は、制御をステップＳ２１２０に切り替える。
【００９９】
ステップＳ２１２０において、制御装置２０１は、ステップＳ２１００またはステップＳ２１１０で決定された転写パラメーターＱを用いて二次転写処理を行う。制御装置２０１は、制御をステップＳ２１３０に切り替える。
【０１００】
ステップＳ２１３０において、制御装置２０１は、ステップＳ２１００またはステップＳ２１１０で決定された温度パラメーターＲを用いて定着処理を行う。制御装置２０１は、制御をステップＳ２１４０に切り替える。
【０１０１】
ステップＳ２１４０において、制御装置２０１は、印刷ジョブを終了する条件が成立しているか否かを判定する。印刷ジョブを終了する条件が成立している場合には（ステップＳ２１４０にてＹＥＳ）、制御装置２０１は、印刷ジョブを終了する。そうでない場合ンは（ステップＳ２１４０にてＮＯ）、制御装置２０１は、制御をステップＳ２０３０に戻す。
【０１０２】
［４．変形例１］
図１４を参照して、第２の実施の形態の変形例１を説明する。図１４は、第２の実施の形態の変形例１における画像形成の条件に関するパラメーターの補正処理の手順を示すフローチャートである。当該処理は、たとえば制御装置２０１のＣＰＵが所与のプログラムを実行することによって実現される。
【０１０３】
第２の実施の形態の変形例１では、ユーザーは、用紙トレイごとに予め設定された画像形成パラメーターＰ、転写パラメーターＱ、および温度パラメーターＲの組み合わせ以外による画像形成を行わずに、予め用紙トレイごとに設定されたパラメーターにより実現される画質のみを優先するモードを選択することができる。当該モードが選択された状態で、給紙トレイが切り替えられると、切替前に転写ベルト３０に形成されたトナー像は破棄される。
【０１０４】
図１４に示すように、ステップＳ３０１０〜ステップＳ３０９０については、図１３におけるＳ２０１０〜Ｓ２０９０と同様であるため、説明は繰り返さない。ステップＳ３１１０において、制御装置２０１は、ユーザーによる設定に基づいて、画質優先モードが設定されているか否かを判定する。画質優先モードが設定されている場合（ステップＳ３１１０においてＹＥＳ）、制御装置２０１は、制御をステップＳ３１３０に切り替える。そうでない場合（ステップＳ３１１０においてＮＯ）、制御装置２０１は、制御をステップＳ３１２０に切り替える。ステップＳ３１２０以降の処理は、図１３におけるステップＳ２１１０以降の処理と同様のため、説明は繰り返さない。
【０１０５】
ステップＳ３１３０において、制御装置２０１は、転写ベルト３０上に形成されたトナー像を用紙に転写することなく破棄する。制御装置２０１は、制御をステップＳ３１４０に切り替える。
【０１０６】
ステップＳ３１４０において、制御装置２０１は、給紙トレイに対応づけられている画像形成パラメーターＰを用いて画像形成を行う。制御装置２０１は、制御をステップＳ３０９０に切り替え、後続の処理を繰り返す。
【０１０７】
以上の構成とすることにより、第２の実施形態の変形例１に従う画像形成装置２００は、ユーザーが用紙トレイごとに予め設定した画像形成の条件に関するパラメーター以外での画像形成を行わないモードをユーザーが選択できるため、必要に応じて画質を優先した画像形成を行うことができる。
【０１０８】
［５．変形例２］
図１５を参照して、第２の実施の形態の変形例２を説明する。図１５は、第２の実施の形態の変形例２における画像形成の条件に関するパラメーターの補正処理の手順を示すフローチャートである。当該処理は、たとえば制御装置２０１のＣＰＵが所与のプログラムを実行することによって実現される。
【０１０９】
本変形例では、ユーザーは、入力装置としての操作パネルを操作することにより、給紙トレイを切り替え、それに伴い、画像形成の条件に関するパラメーターの補正処理を行うタイミングを予め設定可能となっている。このタイミングは、たとえば、印刷ジョブ間、または、印刷ジョブ内の印刷部数間とすることができる。
【０１１０】
図１５に示すように、ステップＳ４０１０〜ステップＳ４１４０については、図１３におけるＳ２０１０〜Ｓ２１４０と同様であるため、説明は繰り返さない。ステップＳ４１５０において、制御装置２０１は、ユーザーの設定に基づいて、給紙トレイの切替タイミングであるか否かを判定する。給紙トレイの切替タイミングである場合（ステップＳ４１５０においてＹＥＳ）、制御装置２０１は、制御をＳ４１６０に切り替える。そうでない場合（ステップＳ４１５０においてＮＯ）、制御装置２０１は、制御をステップＳ４０３０に切り替え、後続の処理を繰り返す。
【０１１１】
ステップＳ４１６０において、制御装置２０１は、給紙トレイの切替を行う。制御装置２０１は、制御をステップＳ４０３０に切り替え、後続の処理を繰り返す。
【０１１２】
以上の構成とすることにより、ユーザーが予め設定したタイミングで給紙トレイを切り替え、それに伴い、画像形成の条件に関するパラメーターの補正処理を行うため、同じ印刷ジョブ内などにおいて、予期せぬ画質の違いが発生することを防ぐことができる。
【０１１３】
［６．小括］
以上のようにして、第２の実施の形態に係る画像形成装置２００は、画像形成の条件に関するパラメーターとして、画像形成部９０に関する画像形成パラメーターＰ、二次転写に関する転写パラメーターＱ、および定着装置６０における定着温度に関する温度パラメーターＲとを含む。制御装置２０１は、給紙トレイの切替制御前における給紙トレイに対応づけられたパラメーター、および切替後における給紙トレイに対応づけられたパラメーターに基づいて、切替制御に伴う用紙に対する画像形成への影響が少なくなるように、当該転写パラメーター、および温度パラメーターの少なくとも１つのパラメーターを補正する補正処理を実施する。
【０１１４】
上記構成とすることにより、印字先行プリント機能を備える画像形成装置２００は、画像形成部９０による転写ベルト３０上へのトナー像の形成が行われた後に、給紙トレイが切り替えられた場合、画像形成に関するパラメーターを切替前後のパラメーターに基づいて補正する。これにより、予め設定された画像形成パラメーターで実現される画質に近い画質を形成することが可能となる。
【０１１５】
＜他の実施形態＞
なお、本開示に係る技術的思想の適用範囲は、上記実施形態に限定されない。たとえば、第１の実施の形態における画像形成装置１００について、ラインセンサー５０を備えない構成とした上で、切替前後の用紙トレイに対応づけられた位置パラメーターに基づいて、移動量を決定してもよい。たとえば、切替前の用紙トレイに対応づけられた位置パラメーターの値がＹ１で、切替後の用紙トレイに対応づけられた位置パラメーターの値がＹ２の場合に、制御装置１０１は、用紙の移動量をＹ１−Ｙ２と決定してもよい。こうすることで、ラインセンサー５０を設置するコストを抑えたうえで、本開示に係る技術的思想を適用することができる。
【０１１６】
また、第２の実施の形態における画像形成装置２００において、制御装置２０１は、上述のとおり、転写部材上のトナー像を用紙に転写する前ではなく、用紙に形成された画像を定着させる前に、給紙トレイを切り替える切替制御を行うように構成してもよい。これらのようにしても、上記実施の形態と同様の効果を得ることができる。
【０１１７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１８】
１０  感光体、１１  帯電装置、１３  露光装置、１４  現像器、１５  トナーボトル、１７，４３  クリーニングユニット、１８  除電装置、１９  センサー、２０  スキャナー、２１  カバー、２２  用紙台、２５  プリンター、３０  転写ベルト、３１  一次転写ローラー、３２  転写駆動機、３３  二次転写ローラー、３５  トナー像、３７  用紙トレイ、３８  従動ローラー、３９  駆動ローラー、４０  レジストローラー、４１  搬送経路、４８  排紙トレイ、５０  ラインセンサー、６０  定着装置、７０  温度センサー、８０  湿度センサー、９０  画像形成部、１００，２００  画像形成装置、１０１，２０１  制御装置、１０２  ＲＯＭ、１０３  ＲＡＭ、１０４  ネットワークインターフェイス、１０５  操作パネル、１２０  記憶装置、１２２  プログラム、１５０，２５０  パラメーターテーブル。
【図１】
2019056769.tif 000003
【図２】
2019056769.tif 000004
【図３】
2019056769.tif 000005
【図４】
2019056769.tif 000006
【図５】
2019056769.tif 000007
【図６】
2019056769.tif 000008
【図７】
2019056769.tif 000009
【図８】
2019056769.tif 000010
【図９】
2019056769.tif 000011
【図１０】
2019056769.tif 000012
【図１１】
2019056769.tif 000013
【図１２】
2019056769.tif 000014
【図１３】
2019056769.tif 000015
【図１４】
2019056769.tif 000016
【図１５】
2019056769.tif 000017